(57)【特許請求の範囲】
【請求項１】
イ）長方形底板と、ペーパー幅より僅か広い間隔で該底板の左右端に平行におかれ上端縁に前側座部と後側頂部とを有し該頂部の左右方向に一対の回動軸孔が穿設されている側板と、該各側板を前板と後板とで連結し上方に開口部を有する箱形に形成された収納部と、ロ）側面視で平坦な基板の前端に後下がり勾配の傾斜面と最後尾左右の切欠部に回動軸が突設されているベース板と、該ベース板の左右一方端部表面に設けられた嵌合具雄部と、短冊状基部先端に小山形状の刃先が形成され該傾斜面から僅かに突出する止め歯と、略方形状軟質プラスチック製で該ベース板上に後側へ僅かに寄せられ一方端部は僅かにはみ出して自由端とされ他方端部が該ベース板表面にスペーサを介して固着されている表面シートと、該表面シート自由端寄りに該嵌合具雄部が係止可能な嵌合具雌部を有する繰出し調整部とを備え、ハ）前記回動軸孔に前記回動軸が挿着されて前記ベース板が回動可能とされ、前記嵌合具雄部及び雌部の係止により前記表面シート及びベース板間に挟まれた前記ペーパーが小引張力で引出し可能とされることを特徴とするロールペーパー切断装置。
【請求項２】
嵌合具雄部は先端に丸みをももち下端に僅かなくびれをもった円柱状突起であってベース板表面に突設され、嵌合具雌部は表面シートの自由端寄りに前記円柱状突起の外径より僅かに小径の中心孔が穿設され且つ該中心孔の中心で交差する十字溝が形成されていることを特徴とする請求項１に記載のロールペーパー切断装置。
【請求項３】
ベース板の傾斜面に切込みを入れて取出し口を形成し、止め歯は前記取出し口を除いた前記傾斜面に突出していることを特徴とする請求項１又は２に記載のロールペーパー切断装置。
【請求項４】
底板の前後中央部より後寄り位置の左右方向に蒲鉾状の棒材が固着されていることを特徴とする請求項１〜３のいずれかに記載のロールペーパー切断装置。
【請求項５】
表面シートの後端側を左右全体に渡って後上がり勾配に傾斜させたことを特徴とする請求項１〜４のいずれかに記載のロールペーパー切断装置。
【請求項６】
表面シートに透明性をもたせたことを特徴とする請求項１〜５のいずれかに記載のロールペーパー切断装置。
【発明の詳細な説明】
【技術分野】
【０００１】
本発明は、巻芯又は無芯で中空円柱状に巻かれた長手の比較的厚地のロールペーパー例えばキッチンペーパー、タオルペーパー等を収納し、使用時に繰出して予めペーパーに付されたミシン目に沿って切断するためのロールペーパー切断装置の改良に関する。
【背景技術】
【０００２】
本発明の対象とするロールペーパーは比較的厚地のため一定ピッチで幅方向にミシン目が付けられ、このミシン目に沿って手で引張って切断して使用されるが、ロールペーパーをコンパクトに収納し、壁などに固定して使うことも、持運んで使うこともでき、簡易に切断するための装置は少なく、例えば下記特許文献１に記載の「キッチンペーパーホルダー」がある。
【０００３】
【特許文献１】特開２００３−１８２７８４号公報
【発明の開示】
【発明が解決しようとする課題】
【０００４】
しかし前記特許文献１に記載のものは、下記の課題を有している。
（イ）ロール１が箱体１１内に収納されているため汚れることはないが、ロール１の交換の際は箱体１１の側部を開き、重し部材１５などの内部機構を一々調整して入れ替えるため手間がかる。
（ロ）キッチンペーパー１ａを縦形の押圧片１３、１４の間を通過させて張力を与えるようにしているが、ロール１の使用による小径化により押圧片１３、１４の間に入る角度が変化するのに押圧片１３、１４が対応できず、キッチンペーパー１ａにかかる張力が安定せず、切断が円滑にできない場合がある。
（ハ）押圧片１３、１４の間から引き出したキッチンペーパー１ａのミシン目ｍを、押圧片１４の上端縁に合わせてキッチンペーパー１ａの右又は左の一方を強く引っ張ることによりキッチンペーパー１ａはミシン目ｍで切断される。しかしミシン目ｍを押圧片１４の上端縁に合わせねばならず、その確認は正確性を要求され、過ってミシン目ｍが先行してしまったときはロール１を逆回転させて押圧片１４の上端縁に合わせねばならず手間がかる。
これに対し本発明は、ロールペーパーの収納及び交換が容易で、ペーパーを引出して横におかれたベース板と表面シートの間を通過させて安定した張力が保持でき、ミシン目がベース板の前端に設けられた止め歯を通過し後であればどの位置にあってもペーパーを下方に引張るだけで確実にミシン目から切断可能な、固定しても移動しても使える構造簡易で使い勝手に優れたロールペーパー切断装置を得ることを目的とする。
【課題を解決するための手段】
【０００５】
この目的を達成するために、
請求項１の発明にあっては、イ）長方形底板と、ペーパー幅より僅か広い間隔で該底板の左右端に平行におかれ上端縁に前側座部と後側頂部とを有し該頂部の左右方向に一対の回動軸孔が穿設されている側板と、該各側板を前板と後板とで連結し上方に開口部を有する箱形に形成された収納部と、ロ）側面視で平坦な基板の前端に後下がり勾配の傾斜面と最後尾左右の切欠部に回動軸が突設されているベース板と、該ベース板の左右一方端部表面に設けられた嵌合具雄部と、短冊状基部先端に小山形状の刃先が形成され該傾斜面から僅かに突出する止め歯と、略方形状軟質プラスチック製で該ベース板上に後側へ僅かに寄せられ一方端部は僅かにはみ出して自由端とされ他方端部が該ベース板表面にスペーサを介して固着されている表面シートと、該表面シート自由端寄りに該嵌合具雄部が係止可能な嵌合具雌部を有する繰出し調整部とを備え、ハ）前記回動軸孔に前記回動軸が挿着されて前記ベース板が回動可能とされ、前記嵌合具雄部及び雌部の係止により前記表面シート及びベース板間に挟まれた前記ペーパーが小引張力で引出し可能とされるロールペーパー切断装置により解決した。
請求項２の発明にあっては、嵌合具雄部は先端に丸みをももち下端に僅かなくびれをもった円柱状突起であってベース板表面に突設され、嵌合具雌部は表面シートの自由端寄りに前記円柱状突起の外径より僅かに小径の中心孔が穿設され且つ該中心孔の中心で交差する十字溝が形成されている請求項１に記載のロールペーパー切断装置とすることができる。
請求項３の発明にあっては、ベース板の傾斜面に切込みを入れて取出し口を形成し、止め歯は前記取出し口を除いた前記傾斜面に突出している請求項１又は２に記載のロールペーパー切断装置とするのが好ましい。
請求項４の発明にあっては、底板の前後中央部より後寄り位置の左右方向に蒲鉾状の棒材が固着されている請求項１〜３のいずれかに記載のロールペーパー切断装置とするのが好ましい。
請求項５の発明にあっては、表面シートの後端側を左右全体に渡って後上がり勾配に傾斜させた請求項１〜４のいずれかに記載のロールペーパー切断装置とするのが好ましい。  請求項６の発明にあっては、表面シートに透明性をもたせた請求項１〜５のいずれかに記載のロールペーパー切断装置とするのが好ましい。
【発明の効果】
【０００６】
本発明のロールペーパー切断装置によれば、ロールペーパーの収納及び交換が容易で、ペーパーを引出して横におかれたベース板と表面シートの間を通過させて安定した張力が保持でき、ミシン目がベース板の前端に設けられた止め歯を通過し後であればどの位置にあってもペーパーを下方に引張るだけで確実にミシン目から切断可能な、固定しても移動しても使える構造簡易で使い勝手に優れた顕著な効果を有する。
【０００７】
本発明の実施の形態を図面を参照して説明する。
図１は、本発明の一例のロールペーパー切断装置の（ａ）全体側面図、（ｂ）全体正面図、及び（ｃ）止め歯の一部正面図、（ｄ）止め歯とベース板の一部平面図、（ｅ）止め歯のベース板への取付け側面図である。
図２は、図１のロールペーパー切断装置の組立て斜視図で、（ａ）繰出し調整部の閉鎖状態、（ｂ）繰出し調整部の開放状態を示す。
図３は、図１のロールペーパー切断装置の作動を示す斜視図で、ロールペーパーの（ａ）収納時、（ｂ）引出し開始時の状態、（ｃ）嵌合部雌部及び雄部回りの一部模式的平面図である。
図４は、図３の状態から引続いた作動を示す斜視図で、ペーパーの（ａ）引出し中の状態、（ｂ）引出し完了、切断開始時の状態を示す。
以下のロールペーパー切断装置においては、ロールペーパーの収納された側を後側とし、ペーパーの引出し側を前側とし、前側から後側を見て左右とし、また各構成要素は組立てられた状態において説明する。図１（ａ）、２、３、４においては、右側が前側で、左側が後側である。
【０００８】
図１を参照し、本発明の一例のロールペーパー切断装置Ａの構成を説明する。
ロールペーパー切断装置Ａは、収納部１と繰出し調整部２とを有する。本考案において使用されるロールペーパーＲは、巻芯Ｒ２ 回りにペーパーＲ１ が巻回されているか、または巻芯Ｒ２ がなくペーパーＲ１ だけが巻回されたものがあるが、左右幅はペーパーＲ１ 及び巻芯Ｒ２ 共同じにとられている。
収納部１はそれぞれ平板状の、長方形の底板１１と、一対の左右側板１２、１２と、前板１３と、後板１４とで上方に開口部を有する箱形に形成されている。
前板１３と後板１４は、本例ではそれぞれ前方視において方形状空間とその上端中央部に下方凸の湾曲状の谷部１３ａ、１４ａが形成されているが、底板面からの高さを後板１４の方を前板１３の方より高くとり方形状空間の面積を前板１３の方を大きくとり、前板１３の谷部１３ａを後板１４の谷部１４ａに比し面積を大きくとるのが好ましい。これは収納部１に収納されたロールペーパーＲの位置を微調整する必要ある場合に、前側のスペースを広目にとった方が手の指を前方から挿入しやすく操作性かよいので好ましいからであるが、これに限定されず前後面積を同様にとってもよいし、谷部１３ａ、１４ａを付加することなく、前板１３及び後板１４を方形状として上方に方形状空間を形成するのみとしてもよい。
左右側板１２、１２はペーパーＲ１ （巻芯Ｒ２ と同じ）の左右幅より僅か広い間隔をおいて底板１１左右端に平行に立設されている。底板１１の前後中央部より後寄り位置の左右方向に蒲鉾状の棒材１１ａが固着されているが、この棒材１１ａを設けることによりロールペーパーＲの使用による直径の減少に対し軸芯位置の変動を少なくしペーパーへの張力を安定させるのに有効であって好ましい。そして左右側板１２、１２は側面視において、前端面は中点１２ｄを境として上部は後上がり勾配及び下部は後下がり勾配として略逆く字形に形成され、前板１３は下部後下がり勾配に沿って固着され、後端面は直立して形成されこれに沿って後板１４が固着されている。この後下がり勾配のついた前板１３は、ロールペーパーＲを直径の大きいときも小さいときも前板１３と棒材１１ａの間の空間に安定して保持可能であり、またロールペーパーＲが広口で交換しやすいので好ましいが、必須の構成ではなく、前板１３を直立としてもよい。側板１２、１２の上端縁は、前側の座部１２ｂ、１２ｂと後側の頂部１２ｃ、１２ｃとで段差が付けられておりそれぞれ水平面をなし、頂部１２ｃの座部１２ｂに近接する位置の左右方向に一対の回動軸孔１２ａ、１２ａが穿設されている。
【０００９】
繰出し調整部２は、組立てられたロールペーパー切断装置Ａのベース板の閉鎖状態において、下から、ベース板２１、止め歯２２、表面シート２３、嵌合具雌部２４、嵌合具雄部２５を有している。
ベース板２１は、硬質プラスチック、金属又は木製の平坦な基板２１ａと、側面視において前端に後下がり勾配をもった傾斜面２１ｂと、最後尾に左右に一対の小幅の切欠部２１ｃ、２１ｃが形成されている。側面視においてベース板２１の後端面は、後側へ凸の弧状に形成するとペーパーＲ１ の表面シート２３とベース板２１間への繰込みを円滑に行うことができて好ましいが、必須のものではない。
切欠部２１ｃ、２１ｃは、前向き円弧状に形成され、該円弧中心位置の左右に小径の回動軸２１ｄ、２１ｄが突設され、左右側板１２、１２の回動軸孔１２ａ、１２ａの内側より回動軸２１ｄ、２１ｄが挿着されベース板２１が回動可能とされている。ここで傾斜面２１ｂの水平面に対する後下がり傾斜角は通常４５〜７５度、好ましくは６０度前後にとられる。さらに、ベース板２１表面には嵌合具雄部２５が設けられているが、本例ではベース板２１表面に突設された先端に丸みをもち下端に僅かなくびれをもった円柱状突起という構成であって、後述する表面シート２３に設けられた嵌合具雌部２４との組合わせによって、ペーパーＲ１ は表面シート２３とベース板２１間に挟まれて万遍なく軽く加圧され、全幅片寄ることなく小引張力で引出し可能に保持される。
嵌合具雄部２５は、本例と異なった構成であってもよく、詳細は後述の表面シート２３の箇所において説明する。
止め歯２２は、硬質プラスチック、硬質紙又は金属製小幅短冊状の基部２２ａ先端に小ピッチ山形状の刃先２２ｂが形成され、上述の傾斜面２１ｂの前端面に基部２２ａをビス、リベット、接着などで刃先２２ｂの先端が基板２１ａ表面から僅かに、例えば１ｍｍ以下好ましくは０．７ｍｍ前後突出するように固着される。本例では止め歯２２は、図１（ｂ）に示すとおり、左止め歯２２Ｌと右止め歯２２Ｒとが左右対称に配設され中央部で切れおり、この中央部には傾斜面２１ｂの延長面に対し切込みを入れた取出し口２１ｅが形成されこの部分には止め歯２２が欠如しており、後述するとおり取出し口２１ｅに前側より指を入れることによりロールペーパーの取出し移送を円滑に遂行することができて好ましいが、取出し口２１ｅを設けることなく基板２１ａ左右全幅に渡って止め歯２２としてもよい。刃先２２ｂはペーパーＲ１ を直接切断するためのものではなく、切断時のペーパーＲ１ の移送を押さえて緊張状態に保持するためのものであり、刃先２２ｂの形状は小ピッチ山形状で通常頂部には丸みを持たせてある。
【００１０】
表面シート２３は、平面視において略方形状の軟質プラスチック例えばポリ塩化ビニル、ポリエチレン、ポリプロピレン製などのシートで、図２〜４に示すとおり、ベース板２１表面に対し前後方向では後側に僅かに寄せて前側を僅かに開けておかれ、左右一方端部（本例では右端部）は通常１０〜２０ｍｍ、好ましくは１５ｍｍ前後はみ出しておかれ、その他の部分はベース板２１を実質的に被覆しておかれる。そして表面シート２３は、他方端部（本例では左端部）はビス、ボルト、接着などによりベース板２１表面他方端部に固着される。表面シート２３に透明性をもたせると、ペーパーＲ１ がベース板２１との間を通過するとき、ミシン目ｍの位置を外側から予め視認できるので好ましいが、不透明であってもよくそのときはミシン目ｍが外側に出たときの確認に注意が必要である。
一方端部のはみ出し部分は、指先で把持して図３（ｂ）に示すとおり上方へ持上げ可能なように自由端とされている。また図１（ａ）、２（ａ）、４に示すとおり、予め表面シート２３の後端側を左右全体に渡って後上がり勾配に傾斜させておくことにより、ペーパーＲ１ の表面シート２３とベース板２１間への繰込みを円滑に行うことができて好ましいが、この後上がりの勾配の傾斜面は必須のものではなく、表面シート２３全体を平坦面としてもよい。この表面シート２３の後上がりの勾配の傾斜面は、前記したベース板２１の弧状後端面と合わせると繰込みにより効果的である。
前記した表面シート２３の他方端部のベース板２１との固着にあたっては、図１（ａ）に示すとおり（その他の図面では図示省略）、対象とするペーパーＲ１ は通常０．２〜０．５ｍｍの厚みがあるので、単純にビス、ボルト、接着などの固着ではその部分にペーパーＲ１ が進行するとき食込んでしまいやすく、その防止のため表面シート２３とベース板２１の間にワッシャー、薄板材、又は表面シート２３下面かベース板２１上面のいずれかに小凸部を設けスペーサ２６としこれを介在させてペーパーＲ１ の厚みに対応して僅かな間隙を保つようにし、ペーパーＲ１ の引き出し具合を確認して固着することとしている。  次に、平面視において表面シート２３の自由端寄りの嵌合具雄部２５に対応する位置には、嵌合具雌部２４が設けられている。図３（ｃ）に示すとおり、本例の嵌合具雌部２４は、中心に嵌合具雄部２５の円柱状突起の円柱外径Ｄより僅かに小径ｄの中心孔２４ａが穿設され、中心孔２４ａの中心で交差する十字溝２４ｂが形成されている。そして表面シート２３がベース板２１の表面上におかれたとき、丁度嵌合具雄部２５の円柱状突起が嵌合具雌部２４の中心孔２４ａ下におかれ、表面シート２３側から指先で軽く加圧すると十字溝２４ｂが変形して盛上がり、それに連れて中心孔２４ａが広がり円柱状突起が下から表面シート２３に容易に貫通され、嵌合具雄部２５と嵌合具雌部２４が係止される。その結果として、ロールペーパー切断装置Ａによる切断中においてペーパーＲ１ は表面シート２３とベース板２１間に挟まれて万遍なく軽く加圧され、全幅片寄ることなく小引張力で引出し可能に保持される。
表面シート２３は軟質プラスチック製で弾力性があり、前記したとおり一方端部のはみ出し部分を指先で把持して容易に嵌合具雄部２５と嵌合具雌部２４との係止又は係止解除をすることが可能である。
ここの嵌合具雌部２４と嵌合具雄部２５との組合わせは前記円柱状突起と中心孔及び十字溝の構成に限定されず、例えば押しホックの雌部及び雄部の組合わせとするとか、面ファスナーのループ及びフックの組合わせとすることとしてもよい。
前記した表面シート２３のとベース板２１とのはみ出し及び固着位置についての一方端部及び他方端部は本例と左右を入替えてもよい。
【００１１】
次に、図１、２を参照してロールペーパー切断装置Ａの組立てを順次説明する。
繰出し調整部２として、ベース板２１の基板２１ａの傾斜面２１ｂに止め歯２２の基部２２ａを刃先２２ｂ先端が基板２１ａ表面から僅かに例えば０．７ｍｍ突出するようにおいて固着し、表面シート２３の右端部を例えば１５ｍｍ前後はみ出しておき、左端部をビス、接着などによりスペーサを介してベース板２１表面に固着し、右端部を指先で把持して持上げ可能とする。そして、ベース板２１には表面に突設されている嵌合具雄部２５がその位置の嵌合具雌部２４に係止又は解除可能とされる。
次に、収納部１を組立てるが、先ず左右側板１２、１２の回動軸孔１２ａ、１２ａの内側よりベース板２１の回動軸２１ｄ、２１ｄ挿着して、底板１１左右端にペーパーＲ１ の巻幅より僅か広い間隔で平行に左右側板１２、１２をおき固着し、左右側板１２、１２前後端に前板１３と後板１４とを渡して固着することにより、底板１１、左右側板１２、１２、前板１３及び後板１４とで上方に開口部を有する箱形が形成される。
また必要により底板１１の前後中央部より後寄り位置の左右に蒲鉾状の棒材１１ａを固着する。
これにより、回動軸孔１２ａ、１２ａ回りに回動軸２１ｄ、２１ｄを介してベース板２１が回動することにより、ベース板２１は図２（ａ）に示す側板１２、１２の座部１２ｂ、１１ｂ上におかれる閉鎖状態位置から、図２（ｂ）に示す側板１２、１２の座部１２ｂ、１２ｂから跳上げられた開放状態位置の間を移動可能となり、繰出し調整部２がベース板２１と一体になって開閉可能となる。
【００１２】
次に、図２〜４を参照してロールペーパー切断装置Ａの使用態様を説明する。
（イ）ロールペーパー収納時
先ず、図２（ａ）に示す閉鎖状態にあるロールペーパー切断装置Ａの繰出し調整部２をベース板２１を持上げて図２（ｂ）に示す開放状態にし、次に図３（ａ）に示す収納部１の上方の開口部に未使用のロールペーパーＲを入れる。
（ロ）ペーパー引出し開始時
次いで、一方で収納部１収納された未使用のロールペーパーＲからペーパーＲ１ を繰り出した先端を後板１４上方の開口部から指先で持上げて、他方で図３（ｂ）に示すとおり表面シート２３の右端部を指先で把持して上方へ跳ね上げ、表面シート２３とベース板２１の間にペーパーＲ１ をおき、ペーパーＲ１ の先端が止め歯２２の僅か前外側の位置に達するように引き出す。このとき止め歯２２の中央部が切れ取出し口２１ｅが利用できる場合は、前側より取出し口２１ｅに指を入れるとペーパーＲ１ の引出しがより容易である。  
（ハ）ペーパー引出中
次いで、図４（ａ）に示すとおり、表面シート２３の右端部を指先で把持して下方へ下げ嵌合具雌部２４に嵌合具雄部２５を係止することによりペーパーＲ１ が表面シート２３とベース板２１に挟まれて万遍なく軽く加圧される。表面シート２３は、平坦な軟質プラスチック製のシートであって弾力があり、ペーパーＲ１ に適度の摩擦を与えてつつ、この状態でペーパーＲ１ の先端を指先で把持して前方矢印Ｘの略水平方向へ引張ると、表面シート２３とベース板２１の間から小引張力で片寄ることなく容易に引出すことができる。このときペーパーＲ１ の先端引出し方向を略水平方向から止め歯２２の刃先２２ｂの所で下方向に曲げてしまうと刃先２２ｂがペーパーＲ１ にくい込み、ペーパーＲ１ の繰出しが止まってしまうので注意が肝要である。ミシン目ｍは、一例として図４（ａ）に破線で表示してあるとおり表面シート２３とベース板２１に挟まれた位置におかれるが、その位置は表面シート２３が透明性を有するときは外側から容易に目視により確認することができる。
【００１３】
（ニ）ペーパー引出完了、切断開始乃至切断完了
次いで、前記（ハ）に記載のペーパーＲ１ のミシン目ｍが図４（ａ）に示す位置から、前方の矢印Ｘの略水平方向に指先で引張って止め歯２２を過ぎた任意の位置に達したところで図４（ｂ）に示すとおり、下方向に曲げて矢印Ｙ方向へ引っ張ると止め歯２２の刃先２２ｂがペーパーＲ１ にくい込み、ロールからペーパーＲ１ の繰出しは止まり、更に先端一方側（本例では右側）を指先Ｆでやや強く引張るとミシン目ｍから綺麗に切断され、切断済みペーパーＲ３ が得られる。ここでの切断では、ミシン目ｍの繰出し位置には関係はなく、ミシン目ｍが止め歯２２の近傍位置であっても離隔位置であってもいずれの場合でも同様に円滑にミシン目ｍから切断することができる。
（ホ）爾後の切断
その後の切断については、図４（ａ）に示す状態から出発して前記（ハ）→（ニ）に記載の動作を繰返して行へばよい。底板１１に棒材１１ａが設けてあると、ロールペーパーＲの直径が減少したときにも安定して切断が継続可能である。
【００１４】
本発明のロールペーパー切断装置は、そのままキッチンなどの台上に底板１１の面を載せる据え置き用途、後板１４の背面を壁面にビス、木ネジなどで固着する壁面取付け用途、後板１４若しくは側板１２、１２に固着された紐を下げ壁面のフックに掛ける壁面掛けの用途、又は固定しても移動しても使えるなど幅広い用途に適応可能である。
【産業上の利用可能性】
【００１５】
本発明のロールペーパー切断装置は、ミシン目付きのキッチンペーパー、タオルペーパーなどのロールペーパーについて、据え置き用途、壁面取付け用途その他の用途にそれぞれ利用可能である。
【図面の簡単な説明】
【００１６】
【図１】本発明の一例のロールペーパー切断装置の（ａ）全体側面図、（ｂ）全体正面図、及び（ｃ）止め歯の一部正面図、（ｄ）止め歯とベース板の一部平面図、（ｅ）止め歯のベース板への取付け側面図である。
【図２】図１のロールペーパー切断装置の組立て斜視図で、（ａ）繰出し調整部の閉鎖状態、（ｂ）繰出し調整部の開放状態を示す。
【図３】図１のロールペーパー切断装置の作動を示す斜視図で、（ａ）ロールペーパー収納時、（ｂ）ペーパー引出し開始時の状態、（ｃ）嵌合部雌部及び雄部回りの一部模式的平面図である。
【図４】図３の状態から引続くロールペーパー切断装置の作動を示す斜視図で、（ａ）ペーパー引出し中の状態、（ｂ）ペーパー引出し完了、切断開始時の状態を示す。
【符号の説明】
【００１７】
１  収納部
１１  底板
１１ａ  棒材
１２  側板
１２ａ  回動軸孔
１２ｂ  座部
１２ｃ  頂部
１３  前板
１４  後板
２  繰出し調整部
２１  ベース板
２１ａ  基板
２１ｂ  傾斜面
２１ｃ  切欠部
２１ｄ  回動軸
２１ｅ  取出し口
２２  止め歯
２２ａ  基部
２２ｂ  刃先
２３  表面シート
２４  嵌合具雌部
２５  嵌合具雄部
２６  スペーサ
Ａ  ロールペーパー切断装置
Ｒ  ロールペーパー
Ｒ１   ペーパー
ｍ  ミシン目
【要約】
【課題】下方に引張るだけ容易確実にミシン目から切断可能なロールペーパー切断装置。【解決手段】イ）底板と、ペーパー幅より僅か広い間隔で底板の左右端に平行におかれ上端縁に前側座部と後側頂部とを有し頂部に一対の回動軸孔が穿設されている側板と、側板を前板と後板とで連結し上方に開口部を有する箱形に形成された収納部と、ロ）側面視で平坦な基板の前端に後下がり勾配の傾斜面と最後尾の切欠部に回動軸が突設されているベース板と、ベース板の一方端部表面に設けられた嵌合具雄部と、基部先端に小山形状の刃先が形成され傾斜面から僅かに突出する止め歯と、方形状軟質プラスチック製でベース板上に後側へ僅かに寄せられ一方端部は僅かにはみ出して自由端とされ他方端部がベース板表面にスペーサを介して固着されている表面シートと、表面シート自由端寄りに嵌合具雄部が係止可能な嵌合具雌部を有する繰出し調整部とを備えるロールペーパー切断装置。
【選択図】        図１
側が後側である。【図１】
0004037445.tif 000002
【図２】
0004037445.tif 000003
【図３】
0004037445.tif 000004
【図４】
0004037445.tif 000005